(57)【要約】      （修正有）【課題】明確な勝敗判定が可能な刀剣等の武器を模した遊具及び遊具システムを提供する。【解決手段】第１の遊具と第２の遊具とを含む遊具システムであって、第１の遊具は、第１の遊具本体と第１の遊具本体の所定部位に対して付着させることが可能な第１の付属小片とを含み、第２の遊具は、第２の遊具本体と第２の遊具本体の所定部位に対して付着させることが可能な第２の付属小片とを含み、第１の付属小片は第２の遊具本体の所定部位に対しても付着させることが可能とされており、かつ、第２の付属小片は第１の遊具本体の所定部位に対しても付着させることが可能とされており、さらに、第１の付属小片の第１の遊具本体に対する付着力は第２の遊具本体に対する付着力よりも小さくなるように調整がなされており、かつ、第２の付属小片の第２の遊具本体に対する付着力は第１の遊具本体に対する付着力よりも小さくなるように調整されている。【選択図】図１
2019072087.tif 000002
【特許請求の範囲】
【請求項１】
武器を模した第１の遊具と、武器を模した第２の遊具と、を含む遊具システムであって、
前記第１の遊具は、
第１の遊具本体と、
前記第１の遊具本体の所定部位に対して付着させることが可能な第１の付属小片と、を含み、
前記第２の遊具は、
第２の遊具本体と、
前記第２の遊具本体の所定部位に対して付着させることが可能な第２の付属小片と、を含み、
前記第１の付属小片は、前記第２の遊具本体の所定部位に対しても付着させることが可能とされており、かつ、前記第２の付属小片は、前記第１の遊具本体の所定部位に対しても付着させることが可能とされており、さらに、
前記第１の付属小片の前記第１の遊具本体に対する付着力は、前記第２の遊具本体に対する付着力よりも小さくなるように調整がなされており、かつ、前記第２の付属小片の前記第２の遊具本体に対する付着力は、前記第１の遊具本体に対する付着力よりも小さくなるように調整がなされている、遊具システム。
【請求項２】
前記第１の付属小片と前記第１の遊具本体及び前記第２の遊具本体との付着はそれぞれ面ファスナにより実現され、
前記第２の付属小片と前記第２の遊具本体及び前記第１の遊具本体との付着はそれぞれ面ファスナにより実現され、かつ、
前記第１の付属小片及び前記第２の付属小片における前記付着力の調整は、面ファスナの付着面積を前記第１の遊具本体側と前記第２の遊具本体側とで異ならせることによりそれぞれ行われる、請求項１に記載の遊具システム。
【請求項３】
前記第１の遊具本体と前記第２の遊具本体はそれぞれ鍔を有する刀剣を模した遊具であり、
前記第１の付属小片は、前記第１の遊具本体に対してはその鍔部に、また、前記第２の遊具本体に対してはその刀身部に付着可能とされており、かつ、
前記第２の付属小片は、前記第２の遊具本体に対してはその鍔部に、また、前記第１の遊具本体に対してはその刀身部に付着可能とされている、請求項２に記載の遊具システム。
【請求項４】
前記第１の遊具及び前記第２の遊具はそれぞれ軟質素材から構成され、
前記第１の遊具本体の前記鍔部には前記第１の付属小片を付着させる第１の鍔部側面ファスナを有し、かつ、前記第２の遊具本体の前記鍔部には前記第２の付属小片を付着させる第２の鍔部側面ファスナを有し、
前記第１の鍔部側面ファスナは、前記第１の遊具本体の前記鍔部に対して金属留具を介して固定され、かつ、前記第２の鍔部側面ファスナは、前記第２の遊具本体の前記鍔部に対して金属留具を介して固定されている、請求項３に記載の遊具システム。
【請求項５】
請求項１〜４のいずれかに記載の遊具システムを構成する第１の遊具。
【発明の詳細な説明】
【技術分野】
【０００１】
この発明は、例えば、刀剣等の武器を模した遊具及び遊具システムに関する。
【背景技術】
【０００２】
古くから、刀剣等の武器を模した遊具を用いた遊戯又はスポーツが人気を集めている。このような遊戯又はスポーツは様々なルールの下に行われるものであるが、例えば、相手方の身体や遊具の所定部位へと遊具を当てることで勝敗を決するということがよく行われている。このような勝敗や接触の判定を容易化する装置等も考案されており、例えば、刀剣本体が対象物に接触したことを検知して擬似音を発する模造刀剣等も考案されている（特許文献１）。
【先行技術文献】
【特許文献】
【０００３】
【特許文献１】特開２００５−２２４４３２号公報
【発明の概要】
【発明が解決しようとする課題】
【０００４】
しかしながら、従来の刀剣等の武器を模した遊具では、未だ勝敗が分かり難いという課題があった。例えば、上述の擬似音を発する模造刀剣等では、身体のどこに接しても音声が発されることとなるから結局所定部位への接触判定或いは勝敗判定は困難である。
【０００５】
本発明は、上述の技術的背景の下になされたものであり、その目的とすることころは、明確な勝敗判定が可能な刀剣等の武器を模した遊具及び遊具システムを提供することにある。
【０００６】
本発明のさらに他の目的並びに作用効果については、明細書の以下の記述を参照することにより、当業者であれば容易に理解されるであろう。
【課題を解決するための手段】
【０００７】
上述の技術的課題は、以下の構成を有する遊具システム及びそれを構成する遊具により解決することができる。
【０００８】
すなわち、本開示に係る遊具システムは、武器を模した第１の遊具と、武器を模した第２の遊具と、を含む遊具システムであって、前記第１の遊具は、第１の遊具本体と、前記第１の遊具本体の所定部位に対して付着させることが可能な第１の付属小片と、を含み、前記第２の遊具は、第２の遊具本体と、前記第２の遊具本体の所定部位に対して付着させることが可能な第２の付属小片と、を含み、前記第１の付属小片は、前記第２の遊具本体の所定部位に対しても付着させることが可能とされており、かつ、前記第２の付属小片は、前記第１の遊具本体の所定部位に対しても付着させることが可能とされており、さらに、前記第１の付属小片の前記第１の遊具本体に対する付着力は、前記第２の遊具本体に対する付着力よりも小さくなるように調整がなされており、かつ、前記第２の付属小片の前記第２の遊具本体に対する付着力は、前記第１の遊具本体に対する付着力よりも小さくなるように調整がなされている。
【０００９】
このような構成によれば、遊具システムを用いて遊戯する際に、一方の遊具本体の所定部位に付着された付属小片に対して他方の遊具本体が接触すると、付属小片が当該他方の遊具本体の側へと移転することとなる。これにより、例えば、付属小片の移転により勝敗を明確に決することができる。また、遊戯により相手方の付属小片を取得することができるので、付属小片をコレクションする等して遊戯性を高めることができる。
【００１０】
なお、武器には例えば、刀剣、槍、斧その他の武器が含まれてもよい。また、付属小片はシート状や塊状等であってもよい。さらに、付着力は面ファスナ、磁石、粘着剤に由来するものであってもよい。加えて、各遊具本体は同一の構成を有していてもよいし、異なる構成を有していてもよい。
【００１１】
また、前記第１の付属小片と前記第１の遊具本体及び前記第２の遊具本体との付着はそれぞれ面ファスナにより実現され、かつ、前記第２の付属小片と前記第２の遊具本体及び前記第１の遊具本体との付着はそれぞれ面ファスナにより実現され、前記第１の付属小片及び前記第２の付属小片における前記付着力の調整は、面ファスナの付着面積を前記第１の遊具本体側と前記第２の遊具本体側とで異ならせることによりそれぞれ行われる、ものであってもよい。
【００１２】
このような構成によれば、面ファスナの付着面積の相違に基づいて付着力を調整しているので、容易に付着力の設計を行うことができる。
【００１３】
さらに、前記第１の遊具本体と前記第２の遊具本体はそれぞれ鍔を有する刀剣を模した遊具であり、前記第１の付属小片は、前記第１の遊具本体に対してはその鍔部に、また、前記第２の遊具本体に対してはその刀身部に付着可能とされており、かつ、前記第２の付属小片は、前記第２の遊具本体に対してはその鍔部に、また、前記第１の遊具本体に対してはその刀身部に付着可能とされている、ものであってもよい。
【００１４】
このような構成によれば、鍔部上に付属小片が付着することとなるので、より明確に相手方の付属小片へと照準を合わせることができる。また、例えば、付属小片を備えた盾遊具と刀剣遊具といった攻守に相当する２つの遊具を用いなくとも、単一の遊具でそれらを代用することができ、これにより、例えば、互いに片手で競技を行うことができる。
【００１５】
加えて、前記第１の遊具本体及び前記第２の遊具本体はそれぞれ軟質素材から構成され、前記第１の遊具本体の前記鍔部には前記第１の付属小片を付着させる第１の鍔部側面ファスナを有し、かつ、前記第２の遊具本体の前記鍔部には前記第２の付属小片を付着させる第２の鍔部側面ファスナを有し、前記第１の鍔部側面ファスナは、前記第１の遊具本体の前記鍔部に対して金属留具を介して固定され、かつ、前記第２の鍔部側面ファスナは、前記第２の遊具本体の前記鍔部に対して金属留具を介して固定されている、ものであってもよい。
【００１６】
このような構成によれば、安全な軟質素材を採用しつつ、付属小片の着脱に伴う力が集中する鍔部側面ファスナに関しては金属留具を使用するので、安全性と耐久性とを両立した遊具を提供することができる。なお、面ファスナの語は、面ファスナに雌雄が存在する場合にはそのいずれかを指すものである。
【００１７】
なお、本開示は、上記遊具システムを構成する第１又は第２の遊具として観念することもできる。
【発明の効果】
【００１８】
本開示によれば、明確な勝敗判定が可能な刀剣等の武器を模した遊具及び遊具システムを提供することができる。
【図面の簡単な説明】
【００１９】
【図１】図１は、刀剣形状遊具の外観図である。
【図２】図２は、刀剣形状遊具の分解斜視図である。
【図３】図３は、付着面に関する説明図である。
【図４】図４は、付着工程について示す説明図である。
【図５】図５は、変形例に関する説明図である。
【発明を実施するための形態】
【００２０】
以下、本開示に係る遊具及び遊具システムの実施の一形態を、添付の図面を参照しつつ、詳細に説明する。
【００２１】
＜１．第１の実施形態＞
図１は、刀剣の形状を模した遊具である刀剣形状遊具１０の外観斜視図及び側面図である。図１（ａ）の外観斜視図及び図１（ｂ）の側面図から明らかな通り、刀剣形状遊具１０は、遊具本体（刀身部１と柄部４と鍔部３とを主体として構成される）と遊具本体の所定部位に付着させることが可能な付属小片６ａ，６ｂとを含んで構成されている。
【００２２】
遊具本体において、長尺かつ円柱状の刀身部１と、短尺かつ円柱状の柄部４とは、長軸を一にするように各端面で連結されている。柄部４の連結面には、後述する鍔部３の抜け止めの役割を果たす大径環状段部である鍔止め部３１が一体形成されている。鍔部３は、略菱形であり、中心に柄部４と略同等の直径を有する貫通孔を有し、当該貫通孔を介して柄部４へと挿通可能に構成されている。鍔部３は、鍔止め部３１と当接するまで挿入されている。
【００２３】
なお、刀身部１と柄部４とは、いずれも発泡ポリエチレン等の軟質素材で構成され、鍔部３のみ樹脂成型品（高剛性体）として構成されている。従って、本実施形態に係る刀剣形状遊具１０の大部分は軟質素材にて構成されているので安全に遊戯を行うことができる。また、鍔部３は樹脂成型品（高剛性体）とされているので、後述する付着片５３ａ、５３ｂ乃至留め具５１ａ、５１ｂをしっかりと固定することができる。
【００２４】
図２は、刀剣形状遊具１０の分解斜視図について示している。同図から明らかな通り、刀身部１の先端付近には、面ファスナ素材を付着させることが可能な材質を外周面に有する伸縮性バンド２が被着されており、後述するシート状の付属小片６ａ、６ｂは、その外周面に付着可能に構成されている。また、刀身部１の先端平面１ａについても、面ファスナ素材を付着させることが可能な材質で構成されており、これにより、先端平面１ａに後述する付属小片６ａ、６ｂを適切に付着させることができる。
【００２５】
また、図２から明らかな通り、菱形の鍔部３の長軸上の両端にはそれぞれ貫通小孔３２ａ、３２ｂが設けられている。大径部と小径部とが段状に一体に設けられ大径部が抜け止めの役割を果たす留め具５１ａ、５１ｂは、貫通小孔３２ａ、３２ｂへと通されると共に、通した側の端部には、貫通小孔３２ａ、３２ｂの直径よりも大きい直径を有する付着片５３ａ、５３ｂが接着されている。この付着片５３ａ、５３ｂの他方の面は、面ファスナと付着可能に構成され、遊戯の際には、この付着片５３ａ、５３ｂの他方の面に付属小片６ａ、６ｂの面ファスナが付着されることとなる。
【００２６】
なお、留め具５１ａ、５１ｂは、それぞれ金属で構成されている。また、上述したように、鍔部３は樹脂成型品とされている。すなわち、このような構成によれば、遊具本体には安全な軟質素材を採用しつつも、付属小片６ａ、６ｂの着脱に伴う力が集中する鍔部３の付着片５３ａ、５３ｂの固定は金属製の留め具５１ａ、５１ｂを介して実現されるので、安全性と耐久性とを両立した遊具を提供することができる。
【００２７】
また、このとき、付着片５３ａ、５３ｂの直径は、付属小片６ａ、６ｂの直径よりも小さく構成されている。このような構成によれば、遊具システムを用いて遊戯する際に、一方の遊具本体に付着された付属小片６ａ、６ｂに対して他方の遊具本体が接触すると、付属小片６ａ、６ｂが当該他方の遊具本体の側へと移転することとなる。これにより、例えば、付属小片の移転により勝敗を明確に決することができる。また、遊戯により相手方の付属小片を取得することができるので、付属小片をコレクションする等して遊戯性を高めることができる。このとき付属小片の表面に所定のキャラクタや図柄等のデザインを施してもよい。
【００２８】
図３は、付属小片６ａ、６ｂと付着片５３ａ、５３ｂとの付着面に関する説明図である。
【００２９】
図３（ａ）は、図１（ｂ）で示したＡ−Ａ'断面で切断したときの断面図である。同図から明らかな通り、付属小片６ａ、６ｂは、付着片５３ａ、５３ｂとその柄部４側の面において付着している。また、図３（ｂ）は、付属小片６ａと付着片５３ａとの直径及び付着面積について示す説明図である。同図から明らかな通り、付属小片６ａは、直径がＤ１の円板状であり、その両面は全面に亘って面ファスナで構成され、その面積はＳ１である。一方、付着片５３ａは、直径がＤ２の円板状であり、付属小片６ａとの接触面は面ファスナと付着可能な材質で構成され、その面積はＳ２である。
【００３０】
すなわち、本構成においては、付属小片６ａは、付着片５３ａに対して、面積Ｓ２にて付着している。後述するように、このような状態において、付属小片６ａの付着片５３ａとの非付着側の面に対して、面ファスナ素材を付着させることが可能な伸縮性バンド２の外周面や刀身部１の先端平面１ａが接すると、それらの部材と付属小片６ａとの接触面積がＳ２よりも通常大きいことから、その付着力が付属小片６ａと付着片５３ａとの間の付着力を上回り、その結果、付属小片６ａは伸縮性バンド２の外周面又は刀身部１の先端平面１ａへと付着して付着片５３ａから移転することとなる。
【００３１】
図４を参照しつつ、刀身部１の先端平面１ａが付着片５３ａへと固定された付属小片６ａへと接触して、付属小片６ａが刀身部１の先端平面１ａへと移転するまでの工程について示した説明図である。まず、遊戯の開始時においては、付属小片６ａ（６ｂ）は、鍔部３の付着片５３ａ（５３ｂ）へと面ファスナを介して付着されている。この状態において、遊戯が開始すると、例えば「突き」の動作等により刀身部１が鍔部３に付着している付属小片６ａへと略垂直に接近する（図４（ａ））。その後、刀身部１の先端平面１ａが鍔部３に固定された付属小片６ａへと接触すると、刀身部１の先端平面１ａと付属小片６ａとが面ファスナを介して付着する（図４（ｂ））。このとき、上述した通り、付属小片６ａの先端平面１ａとの接触面の接触面積はＳ１であり、付着片５３ａとの接触面の接触面積はＳ２である。ここで、Ｓ１＞Ｓ２であり、付着力は接触面積が大きくなる程大きくなる。従って、刀身部１が再び鍔部３から離間しようとすると、付属小片６ａは先端平面１ａへと移転することとなる（図４（ｃ））。
【００３２】
すなわち、このような構成によれば、刀剣を模した一対の遊具１０、１０を用いて遊戯する際に、一方の遊具１０の遊具本体の鍔部３に付着された付属小片６ａ、６ｂに対して他方の遊具１０の遊具本体の刀身先端平面１ａが接触すると、その各面間の付着力の差異から、付属小片６ａ、６ｂが当該他方の遊具本体の側へと付着することとなる。これにより、例えば、付属小片６ａ、６ｂの移転により勝敗を明確に決することができる。また、遊戯により相手方の付属小片６ａ、６ｂを取得することができるので、付属小片６ａ、６ｂをコレクションする等して遊戯性を高めることができる。なお、このとき、付属小片６ａ、６ｂの表面に、例えば、所定のキャラクタや図柄等のデザインを施すことにより、よりコレクション性をさらに高めることもできる。
【００３３】
本形態に係る構成においては、鍔部３上に付着片５３ａ、５３ｂを介して付属小片６ａ、６ｂが配置されている。このような構成によれば、より明確に相手方の付属小片６ａ、６ｂへと照準を合わせることができる。また、例えば、付属小片６ａ、６ｂを備えた盾遊具と刀剣遊具といった攻守に相当する２つの遊具を用いなくとも、単一の遊具でそれらを代用することができ、これにより、例えば、互いに片手で競技を行うことができる。このような遊具は、特に、上肢欠損者向けの遊具としても利用できる。
【００３４】
＜２．変形例＞
上述の実施形態においては、付属小片６ａ、６ｂの全面に面ファスナが配設された例について説明したが、要するに付属小片６ａ、６ｂの表裏において付着力に差異が発生すればよいのであるから、本開示はそのような構成に限定されない。従って、以下の通り、種々の変形が可能である。
【００３５】
図５（ａ）は、付属小片６ａ、６ｂに設けられる面ファスナの変形構成例についての説明図である。同図の中央上部には、付属小片６１ａを鍔部３の側から見た外観図が示されている。同図の変形例にあっては、面ファスナ部６１１は、付属小片６１ａの中心部に小径の円状に配置されている。また、同図左下には、同様に付属小片６２ａを鍔部３の側から見た外観図が示されており、同図の変形例にあっては、面ファスナ部６２１は、付属小片６２ａと中心を一にして環状に配置されている。さらに、同図右下には、同様に付属小片６３ａを鍔部３の側から見た外観図が示されており、同図の変形例にあっては、面ファスナ部６３１は、付属小片６３ａと中心を一にして十字に配置されている。このように、面ファスナ部分の形状や面積を工夫することにより付着力を調整してもよい。
【００３６】
また、上述の実施形態においては、付属小片６ａ、６ｂを鍔部３の刀身部１側に２つ配置する構成について説明した。しかしながら、本開示はこのような構成に限定されない。従って、例えば、鍔部３上に１個又は３個以上の付着片を設けるような構成としてもよい。
【００３７】
図５（ｂ）は、円形状に構成された鍔部３'上に、刀身部１を中心として四方に均等に付着片５３ａ〜５３ｄを設けた構成について示しており、各付着片５３ａ〜５３ｄには、付属小片６ａ〜６ｄが付着されている。このような構成によれば、多様な態様で刀身部１へと付属小片５３ａ〜５３ｄを付着させることができ、遊戯方法の幅を拡げることができる。
【００３８】
また、上述の実施形態においては、刀剣形状の遊具を例に説明した。しかしながら、本開示はそのような構成に限定されない。従って、例えば、槍、斧その他の形状の武器を模した遊具が含まれてもよい。このとき、一方の遊具が刀剣を模したものであり、他方の遊具が槍や斧を模したものであるように、互いに異なる形態の遊具であってもよい。
【００３９】
さらに、本実施形態においては付属小片６ａ、６ｂは円板状小片として説明した。しかしながら、付属小片６ａ、６ｂは本実施形態に係る形状に限定されない。従って、例えば、シート状や塊状等であってもよい。
【００４０】
加えて、本実施形態においては、付着力は面ファスナに由来するものとして説明したが、本開示はこのような構成に限定されない。従って、例えば、磁石、粘着剤に由来するものであってもよい。
【００４１】
また、上述の実施形態においては、付属小片を鍔部３上に配置した例に説明した。しかしながら、本開示はそのような構成に限定されない。従って、例えば、鍔以外の遊具本体の所定部位に付着可能に構成してもよい。
【００４２】
さらに、上述の実施形態においては、刀身部１と柄部４とを発泡ポリエチレン等の軟質素材で構成し、鍔部３のみ樹脂成型品（高剛性体）により構成した。しかしながら、本開示はこのような構成に限定されない。従って、例えば、鍔部３についても発泡ポリエチレン等の軟質素材で構成してもよい。また、このとき、鍔部３の素材として、刀身部１や柄部４に用いられる発泡ポリエチレンよりも多少硬い発泡ポリエチレンを用いてもよい。このような構成によれば、刀剣形状遊具１０の全体が軟質素材で構成されることとなるので、より安全な遊戯が可能となる。
【００４３】
加えて、上述の実施形態においては、付属小片６ａ、６ｂを金属製の留め具５１ａ、５１ｂ及び付着片５３ａ、５３ｂを介して鍔部３へと固定する構成とした。しかしながら、本開示はこのような構成に限定されない。従って、例えば、留め具５１ａ、５１ｂ等を介さず、付着片５３ａ、５３ｂを直接鍔部３の表面へと接着するような構成としてもよい。
【産業上の利用可能性】
【００４４】
本開示は少なくとも所定の刀剣等の武器を模した遊具及び遊具システムを製造等する産業にて利用可能である。
【符号の説明】
【００４５】
１  刀身部
１ａ  先端平面
２  伸縮性バンド
３  鍔部
３'  鍔部（変形例）
３１  鍔止め部
４  柄部
５１  留め具
５３  付着片
６  付属小片
６１  付属小片（変形例）
６２  付属小片（変形例）
６３  付属小片（変形例）
６１１  面ファスナ部（変形例）
６２１  面ファスナ部（変形例）
６３１  面ファスナ部（変形例）
【図１】
2019072087.tif 000003
【図２】
2019072087.tif 000004
【図３】
2019072087.tif 000005
【図４】
2019072087.tif 000006
【図５】
2019072087.tif 000007